(57)【要約】【課題】ボンベの外面に付着した氷雪を安全かつ簡便に融解して除去できるボンベ付着雪氷融解除去装置を提供する。【解決手段】ボンベ付着雪氷融解除去装置１は、ボンベ９０を立てて保持する上面開放の籠型のボンベ保持バスケット１０と、ボンベ保持バスケット１０が収納でき、内部の水を温水ボイラ５０からの循環温水により温水コイル２２を経由して間接加熱する融解タンク２０と、融解タンク２０に収納されるボンベ保持バスケット１０の昇降を行うバスケット昇降機構３０と、上昇したボンベ保持バスケット１０の下降を回転式ストッパで防止するストッパ機構４０と、融解タンク２０に温水を循環させる温水ボイラ５０と、ボンベ９０の積み卸し用の作業台６０とから構成される。【選択図】図１
0003116672.tif 000002
【実用新案登録請求の範囲】
【請求項１】
ボンベの外側に付着した雪氷を融解して除去するボンベ付着雪氷融解除去装置であって、
前記ボンベを保持収納するボンベ保持バスケットと、
前記ボンベ保持バスケットを収納可能で、温水配管を有し、前記雪氷を融解するための水を内部に保持可能な融解タンクと、
前記ボンベ保持バスケットを前記融解タンクに対し上下方向に昇降させるバスケット昇降機構と、
前記融解タンクの前記温水配管に温水を循環供給する温水ボイラとを有する、ボンベ付着雪氷融解除去装置。
【請求項２】
さらに、上昇した前記ボンベ保持バスケットに前記ボンベを積み卸しするための作業台を有する、請求項１に記載のボンベ付着雪氷融解除去装置。
【請求項３】
前記ボンベ保持バスケットは、型鋼で構成され、前記ボンベを立てた状態で水平方向に出し入れ可能な開口部を有する、請求項１または請求項２に記載のボンベ付着雪氷融解除去装置。
【請求項４】
前記ボンベ保持バスケットは、立てた状態の前記ボンベを複数収納可能であり、各ボンベを立てた状態で保持するための取外し可能な区画枠を有する、請求項３に記載のボンベ付着雪氷融解除去装置。
【請求項５】
前記ボンベ保持バスケットは、取外し可能な網状の底板を有する、請求項３に記載のボンベ付着雪氷融解除去装置。
【請求項６】
前記融解タンクは、前記ボンベ保持バスケットを収納したときに、立てた状態で保持されている前記ボンベの高さの少なくとも半分を超える深さがあり、融解のための水の供給口と、排出口と、オーバーフロー口とを有する、請求項１または請求項２に記載のボンベ付着雪氷融解除去装置。
【請求項７】
前記融解タンクには、内部の水温を所定の温度に保持するために前記温水ボイラからの加熱用温水の流量を制御できる自動温度制御器が設けられている、請求項６に記載のボンベ付着雪氷融解除去装置。
【請求項８】
前記融解タンクには、移動用の車輪が設けられている、請求項６に記載のボンベ付着雪氷融解除去装置。
【請求項９】
前記バスケット昇降機構は、前記ボンベ保持バスケットが前記融解タンクに収納された位置と前記ボンベの積み卸し位置との間で前記ボンベ保持バスケットを昇降させるための、一端が前記融解タンクに固定され、他端が前記ボンベ保持バスケットに固定されたエアシリンダと、圧縮空気供給源と、操作弁とを有する、請求項１または請求項２に記載のボンベ付着雪氷融解除去装置。
【請求項１０】
前記バスケット昇降機構には、前記ボンベ保持バスケットを上昇位置で前記融解タンクに固定するストッパが設けられている、請求項９に記載のボンベ付着雪氷融解除去装置。
【請求項１１】
前記ストッパは、回転軸が前記融解タンクに支持され、回転により前記ボンベ保持バスケットに設けられた部材と係合可能な回転式ストッパと、該回転式ストッパに固定され該回転式ストッパを回転させるストッパ回転レバーと、該ストッパ回転レバーに連結されて前後進動作により該ストッパ回転レバーを回転させる操作アームとを有する、請求項１０に記載のボンベ付着雪氷融解除去装置。
【考案の詳細な説明】
【技術分野】
【０００１】
本考案はボンベ付着雪氷融解除去装置に関し、特に温水に浸漬してボンベに付着した雪氷を融解して除去するボンベ付着雪氷融解除去装置に関する。
【背景技術】
【０００２】
近年都市ガス網の普及に伴ってボンベによるガスの供給は減少しているものの、なお広い地域でボンベによるガスの供給が行なわれている。ボンベによりガスの供給を行う場合、ボンベは屋外に設置されることが多く、積雪寒冷地では設置場所でボンベの外面に氷雪が付着するという問題がある。ボンベへのガスの補充量は補充前後のボンベの重量差により算出されるので、ボンベに氷雪が付着しているとその融解量により誤差を生ずるため検量の前に付着した氷雪を除去する必要がある。
【０００３】
ボンベの付着物の清掃については特許文献１に記載があるが、横向きのボンベを回転させながら外側に接触する回転ブラシに接触させる構成の、小容量の小形ボンベの外面に付着したほこり等を効率よく除去するための清掃装置であり、ＬＰガス用などのボンベに付着した氷雪を除去することは困難である。
【特許文献１】特開平２００１−１２１０９７号公報
【考案の開示】
【考案が解決しようとする課題】
【０００４】
従来は、ボンベに付着した氷雪を人手によって掻き落としたり温湯を掛けて溶かしたりしていたが屋外の寒中で行う作業となり、作業員に大きな負担が掛かっていた。省力化のための機械化も検討されたが、ＬＰＧなどの爆発性を有するガスの取り扱い場所で使用されるので、許容温度や電気設備に対する規制がありこれまで実現していなかった。
【０００５】
本考案の目的は、ボンベの外面に付着した氷雪を安全かつ簡便に融解して除去できるボンベ付着雪氷融解除去装置を提供することにある。
【課題を解決するための手段】
【０００６】
本考案のボンベ付着雪氷融解除去装置は、
ボンベの外側に付着した雪氷を融解して除去するボンベ付着雪氷融解除去装置であって、ボンベを保持収納するボンベ保持バスケットと、ボンベ保持バスケットを収納可能で、温水配管を有し、雪氷を融解するための水を内部に保持可能な融解タンクと、融解タンクに対しボンベ保持バスケットを上下方向に昇降させるバスケット昇降機構と、融解タンクの温水配管に温水を循環供給する温水ボイラとを有する。さらに、上昇したボンベ保持バスケットにボンベを積み卸しするための作業台を有してもよい。
【０００７】
ボンベ保持バスケットは、型鋼で構成され、ボンベを立てた状態で水平方向に出し入れ可能な開口部を有してもよく、立てた状態のボンベを複数収納可能であり、そのボンベを立てた状態で保持するための取外し可能な区画枠を有してもよく、取外し可能な網状の底板を有してもよい。
【０００８】
融解タンクは、ボンベ保持バスケットを収納したときに、立てた状態で保持されているボンベの高さの少なくとも半分を超える深さがあり、融解のための水の供給口と、排出口と、オーバーフロー口とを有してもよく、融解タンクには、内部の水温を所定の温度に保持するために温水ボイラからの加熱用温水の流量を制御できる自動温度制御器が設けられていてもよく、移動用の車輪が設けられていてもよい。
【０００９】
バスケット昇降機構は、ボンベ保持バスケットが融解タンクに収納された位置と前記ボンベの積み卸し位置との間で前記ボンベ保持バスケットを昇降させるための、一端が融解タンクに固定され、他端がボンベ保持バスケットに固定されたエアシリンダと、圧縮空気供給源と、操作弁とを有してもよく、バスケット昇降機構には、ボンベ保持バスケットを上昇位置で融解タンクに固定するストッパが設けられていてもよく、ストッパは、回転軸が融解タンクに支持され、回転によりボンベ保持バスケットに設けられた部材と係合可能な回転式ストッパと、その回転式ストッパに固定されその回転式ストッパを回転させるストッパ回転レバーと、そのストッパ回転レバーに連結されて前後進動作によりそのストッパ回転レバーを回転させる操作アームとを有してもよい。
【考案の効果】
【００１０】
本考案は、氷雪の付着した複数のボンベをボンベ保持バスケットに並べ、融解タンク内の温水に浸漬して付着した氷雪を融解して除去するので、少ない労力で安全かつ簡便に除去できるという効果がある。
【００１１】
また、ボンベ保持バスケットを上下移動させるバスケット昇降機構を有し、ボンベを積み卸しするための作業台が設けられているのでボンベの搬出入が容易である。
【００１２】
さらに、加熱用の温水は離れた位置の温水ボイラから供給される温水によって間接加熱されて温度制御が行なわれているのでボンベ近傍には火気も電源もなく温度も制御できるので、取り扱いガスに対する安全を確保することができる。
【考案を実施するための最良の形態】
【００１３】
次に、本考案の実施の形態について図面を参照して説明する。図１は本考案の第１の実施の形態のボンベ付着雪氷融解除去装置の模式的全体構成図であり、図２は図１のボンベ付着雪氷融解除去装置の本体部分の模式的斜視図であり、図３は図１のボンベ付着雪氷融解除去装置のボンベ保持バスケットの模式的外形図であり、（ａ）は側面図、（ｂ）は上面図であり、図４は図１のボンベ付着雪氷融解除去装置の融解タンクの模式的形状図であり、（ａ）は側面図、（ｂ）は側面断面図であり、図５は図１のボンベ付着雪氷融解除去装置のストッパ機構の模式的形状図であり、（ａ）は側面図、（ｂ）は上面図である。
【００１４】
本考案のボンベ付着雪氷融解除去装置１は、ボンベ保持バスケット１０と、融解タンク２０と、バスケット昇降機構３０と、バスケット昇降機構３０に設けられたストッパ機構４０と、温水ボイラ５０と、作業台６０とから構成される。
【００１５】
ボンベ保持バスケット１０は、型鋼を用いて長方形の上面が開放された籠状に組み立てられており、側面に設けられた開口部からボンベ９０が搬出入されて内部にボンベ９０が保持され、融解タンク２０内部に沈められると、融解タンク２０の内部の温水によってボンベ９０に付着した氷雪が融解されて除去される。本実施の形態では６本のボンベを３本２列で収納することとしているが、これに限定されるものではなく、必要な処理能力に対応して少なくても多くてもよい。ＬＰＧ用ボンベとしては通常５０ｋｇ容器が用いられているので、５０ｋｇ容器に対応する寸法形状とするが、特殊な容器が用いられる場合にはその寸法に適合させる。
【００１６】
バスケット本体１１は上述のように格子状の壁面を有する上部開放の箱型であり、側壁の１面にはボンベ９０の搬出入用の開口部１５が設けられ、上面にバスケット昇降機構３０のエアシリンダ３１のピストンの一端と係合する支持部材１６が設けられ、側壁には融解タンク２０のスライドガイド２３に係合して昇降時の位置を規制するスライドガイド１４が設けられている。底面には固形物を除去するための取外し可能なエキスパンドメタルなどの網目状の底板１２が設けられ、中間の高さにはボンベ９０の転倒を防ぐための取外し可能な区画枠１３が設けられているが、底板１２は分割されていてもよく、区画枠１３はボンベ９０の間に張り渡すチェーンであってもよく、これらは設けられなくてもよい。
【００１７】
融解タンク２０は、ボンベ保持バスケット１０を収納でき、ボンベ保持バスケット１０に格納されたボンベ９０の高さの半分以上を温水が取り囲む大きさとなっている。氷雪は主としてボンベ９０の下側に付着しているので通常ボンベ９０の高さの半分が浸漬されればよい。融解速度を上げたい場合は浸漬の高さを上げるとボンベ９０本体を介した熱伝導により氷雪の剥離が促進される。融解タンク２０の内部底面には、タンク内部の水を間接加熱するための温水ボイラ５０からの温水を循環させる温水コイル２２が設けられ、タンク内の水の温度を検出するための温度センサ２７と、タンク内の水の給水口２４と排水口２５とオーバーフロー口２６とが設けられている。外壁の下部にバスケット昇降機構３０のエアシリンダ３１の一端と係合するシリンダ座２８が設けられ、内壁にはボンベ保持バスケット１０のスライドガイド１４に係合し昇降時の位置を規制するスライドガイド２３が設けられている。このボンベ付着雪氷融解除去装置１の使用時期は冬季間に限定されるので不使用時の移動のための車輪２９が設けられている。移動の必要がなければ車輪２９は設けなくてもよい。
【００１８】
バスケット昇降機構３０は、下部が融解タンク２０の外面下側に設けられたシリンダ座２８と係合し、ピストン上部がボンベ保持バスケット１０の外面上側に設けられた支持部材１６と係合するエアシリンダ３１と、エアシリンダ３１を作動させるための圧縮空気を生成するエアコンプレッサ３２と、エアシリンダ３１への圧縮空気の供給を制御する操作弁３３と有し、エアシリンダ３１のピストンの伸縮によりボンベ保持バスケット１０を昇降させる。エアコンプレッサ３２には圧縮空気タンクを付属させることが望ましく、外部から圧縮空気が供給可能な場合は圧縮空気タンクのみを設けてもよい。このように、バスケットの昇降にはエアを用いているので、ボンベ近傍には火気も電源もなく取り扱いガスに対する安全が確保できる。
【００１９】
ストッパ機構４０は、ボンベ保持バスケット１０が上昇した位置にあるときに、バスケット昇降機構３０のトラブルによるボンベ保持バスケット１０の落下を防止するためのものであり、融解タンク２０の対向する上縁に固定された２個のベース４４と、それぞれのベース４４に固定された支軸を中心に回転可能な２個の回転式ストッパ４１と、回転式ストッパ４１のストッパ回転レバー４３に連結された操作アーム４２とから構成され、操作アーム４２の前後方向の操作により回転式ストッパ４１が回転し、回転式ストッパ４１がボンベ保持バスケット１０の枠と係合してボンベ保持バスケット１０の落下を防止する。この機構は１例であり、ボンベ保持バスケット１０の落下が防止できる機構であればよい。このように、バスケット昇降機構３０にはボンベ保持バスケット１０の落下防止ストッパが設けられているのでバスケット昇降機構３０の障害による落下に対しても安全である。
【００２０】
温水ボイラ５０は、融解タンク２０内の水を間接加熱するための温水を発生するボイラであり、発生した温水は循環ポンプ５２によって循環配管５１を経由して、融解タンク２０内の温水コイル２２との間を循環する。循環配管５１内に温水コイル２２をバイパスする三方弁５３が設けられており、温度センサ２７で検出した融解タンク２０内の水の温度が所定の温度を超えないように温度制御盤５４により制御される。通常融解タンク２０内の水の温度は４０℃から３０℃の間となるように制御され、そのためボイラからの温水排出温度は６０〜６５℃となるように制御されることが望ましい。温水ボイラ５０は温度調節が可能であるが、スチームボイラは媒体が１００℃以上となるので安全上好ましくない。燃料はＬＰガスの充填所であればＬＰＧを使用することが望ましいが、ボイラ自体は安全のためにガスとの接触のない場所に隔離して設置することが望ましい。また、防爆処理が可能であれば電気ヒータやヒートポンプのような電気のエネルギー源による熱源を使用することもできる。
【００２１】
作業台６０は、ボンベ９０の搬出入を容易にするためにボンベ保持バスケット１０が上昇したときの底面の高さとする。作業台６０にはボンベ９０を輸送してきたトラックからボンベ９０を移すのでトラックの荷台の床面の高さと同じことが望ましく、従ってボンベ保持バスケット１０の上昇したときの底面の高さがトラックの荷台の床面の高さと同じとなるように融解タンク２０とボンベ保持バスケット１０の設計を行うことが望ましい。ボンベ９０の積み卸しのためのトラックの荷台の床面と同じ高さのプラットホームが設けられ、そのプラットホームが利用できる場合は、作業台６０は必要ない。
【産業上の利用可能性】
【００２２】
寒冷地におけるＬＰＧ充填ステーションにおいて、充填前のボンベの外部に付着した氷雪を除去する作業に用いられる。
【図面の簡単な説明】
【００２３】
【図１】本考案の第１の実施の形態のボンベ付着雪氷融解除去装置の模式的全体構成図である。
【図２】図１のボンベ付着雪氷融解除去装置の本体部分の模式的斜視図である。
【図３】図１のボンベ付着雪氷融解除去装置のボンベ保持バスケットの模式的外形図であり、（ａ）は側面図、（ｂ）は上面図である。
【図４】図１のボンベ付着雪氷融解除去装置の融解タンクの模式的形状図であり、（ａ）は側面図、（ｂ）は側面断面図である。
【図５】図１のボンベ付着雪氷融解除去装置のストッパ機構の模式的形状図であり、（ａ）は側面図、（ｂ）は上面図である。
【符号の説明】
【００２４】
１    ボンベ付着雪氷除去装置
１０    ボンベ保持バスケット
１１    バスケット本体
１２    底板
１３    区画枠
１４、２３    スライドガイド
１５    開口部
１６    支持部材
２０    融解タンク
２１    タンク本体
２２    温水コイル
２４    給水口
２５    排水口
２６    オーバーフロー口
２７    温度センサ
２８    シリンダ座
２９    車輪
３０    バスケット昇降機構
３１    エアシリンダ
３２    エアコンプレッサ
３３    操作弁
４０    ストッパ機構
４１    回転式ストッパ
４２    ストッパ操作アーム
４３    ストッパ回転レバー
４４    ベース
５０    温水ボイラ
５１    循環配管
５２    循環ポンプ
５３    三方弁
５４    温度制御盤
６０    作業台
９０    ボンベ
【図１】
0003116672.tif 000003
【図２】
0003116672.tif 000004
【図３】
0003116672.tif 000005
【図４】
0003116672.tif 000006
【図５】
0003116672.tif 000007